(57)【特許請求の範囲】
【請求項１】
カメラのズーム操作レバー付シャッターボタンに取り付けた押圧回転伝達部材と、前記押圧回転伝達部材に接続して押圧させる電磁ソレノイドと、前記電磁ソレノイドの作動軸を回転させるロータリーアクチュエーターとから構成したことを特徴とする遠隔撮影装置。
【発明の詳細な説明】
【技術分野】
【０００１】  本発明は、デジタルカメラ、ビデオカメラ等の撮影装置に装着してシャッターとズームを作動させる遠隔撮影装置に関するものである。
【背景技術】
【０００２】  デジタルカメラ、ビデオカメラ等の撮影装置に装着してシャッターやズームを作動させる遠隔撮影装置として、たとえば特許文献１および特許文献２に開示されたものがある。特許文献１に記載の遠隔撮影装置では電磁ソレノイドを使ってシャッターボタンを動作させる方法が開示されているが、ズームを作動させる方法は開示されていない。【０００３】  本発明者が出願した特許文献２に記載の遠隔撮影装置では、デジタルカメラのシャッターボタンとズームボタンを押圧させる電磁ソレノイドを装備した作動装置と、前記作動装置を前記カメラの所定位置に着脱自在に装着させる支持装置などが開示されている。
【先行技術文献】
【特許文献】
【０００４】
【特許文献１】特開２００２−１４８７０３号公報
【特許文献２】特開２０１０−１６０４５６号公報
【発明の概要】
【発明が解決しようとする課題】
【０００５】  近年、一般市販のデジタルカメラやビデオカメラは高解像度で高倍率ズームを搭載した機種が多数あり、これらに遠隔撮影装置を装着できればコストパフォーマンスに優れた小型軽量な遠隔撮影装置を得ることができるが、最近はシャッターボタンとズームレバーが一体になったタイプが多くなり、特許文献２に記載のようなボタンを押圧させる方式のズームを搭載した機種は少なくなった。【０００６】  そこで本発明では、シャッターボタンとズームレバーが一体になったタイプに装着可能な遠隔撮影装置を提供することを目的とするものである。
【課題を解決するための手段】
【０００７】  本発明に係わる遠隔撮影装置は、カメラのズーム操作レバー付シャッターボタンに取り付けた押圧回転伝達部材と、前記押圧回転伝達部材に接続して押圧させる電磁ソレノイドと、前記電磁ソレノイドの作動軸を回転させるロータリーアクチュエーターとから構成したことを特徴とする遠隔撮影装置であって、これによりシャッターボタンとズームレバーが一体になったタイプのカメラに装着可能な遠隔撮影装置を提供できるものである。
【発明の効果】
【０００８】  本発明の遠隔撮影装置によれば、一般市販のデジタルカメラやビデオカメラの多くの機種に装着できるため、専用にカメラを開発する必要がなく、コストパフォーマンスに優れた小型軽量で高画質・高倍率ズーム機能を備えた遠隔撮影装置を得ることができる。
【図面の簡単な説明】
【０００９】
【図１】デジタルカメラの一例を示している。
【図２】本発明の遠隔撮影装置の一例を示している。
【図３】可搬式操作盤の一例を示している。
【発明を実施するための形態】
【００１０】  以下に本発明の好ましい一実施形態を添付図面に基づき説明する。図１は一般市販の代表的なコンパクトタイプのデジタルカメラの一例である。近年急速に性能の向上と小型軽量化ならびにコストダウン化が進み、現時点では静止画の画素数が１６００万画素、光学ズームは１０倍以上、重量が１５０〜２００ｇ程度の機種が一般的になっており、数年前と比較するとコストパフォーマンスは極めて高いレベルにある。
【００１１】  図１はデジタルカメラの３面図であって、（ａ）図は上面、（ｂ）図は背面、（ｃ）図は側面を示す。コンパクトタイプのデジタルカメラ１のシャッターボタンは１ａ、ズーム操作レバーは１ｂ、１ｃはレンズ、１ｄは液晶モニター、１ｅは映像出力端子、１ｆはメニューやモードなどの設定を行うためのボタンである。  尚、シャッターボタンとズーム操作レバーは一体になっており、ズーム操作レバーを操作するとシャッターボタンと共に左右に一定角度回転させることができ、それによってズームアップとズームダウンを行う。
【００１２】  図２は本発明のカメラのズーム操作レバー付シャッターボタンに取り付けた押圧回転伝達部材と、前記押圧回転伝達部材に接続して押圧させる電磁ソレノイドと、前記電磁ソレノイドの作動軸を回転させるロータリーアクチュエーターとから構成した遠隔撮影装置を示しており、（ａ）図は上面を、（ｂ）図は背面を、（ｃ）図は側面を示す。２はシャッターボタンを押圧させる電磁ソレノイドであって、コイルが内蔵されたケース２ａとプランジャー２ｂと作動軸２ｃなどから構成されており、コイルに電流が流れると電磁力によって作動軸２ｃが押し出される。（図では下方向に押し出される）作動軸２ｃの一方（図では下側）の先端部は押圧回転伝達部材３に接続されており、他方（図では上側）の先端部には歯車４ａが取り付けられている。尚、電磁ソレノイドは、例えば市販のプッシュプル式ソレノイドのＤＣ３〜１２Ｖ程度のタイプが小型軽量で使い易い。
【００１３】  ５はロータリーアクチュエーターであって、回転シャフト５ａには歯車４ｂが取り付けられており、前記の歯車４ａと噛み合って作動軸２ｃに回転を伝達する。尚、ロータリーアクチュエーター５は市販の各種のモーターやロータリーソレノイドなどで、例えば３〜１２Ｖ程度の小型ＤＣモーターを使用することができる。
【００１４】  前記の押圧回転伝達部材３は、シャッターボタン１ａに接着材又は粘着材３ａや小ネジ（図示せず）などによって取り付けられており、前記電磁ソレノイド２を作動させると、作動軸２ｃが下方向に押し出されて押圧回転伝達部材３を通じてシャッターボタン１ａを押すことによってシャッターを切ることができる。又、ロータリーアクチュエーター５を作動させると、電磁ソレノイド２の作動軸２ｃと押圧回転伝達部材３を通じてズーム操作レバーを回転させることでズームアップとズームダウンを行うことができる。尚、押圧回転伝達部材３は金属や樹脂でも良いが、ゴムやウレタンなどの弾性材料を使用すればシャッターボタンを押圧する際の衝撃を柔らげることができる。又、押圧回転伝達部材３と作動軸２ｃとの接続は、押圧回転伝達部材３に設けた軸穴に作動軸２ｃを嵌め込んでから止めネジで固定するなどの方法（図示せず）を行えば簡単である。
【００１５】  前記電磁ソレノイド２の作動軸２ｃを作動させると軸方向に一定ストローク、例えば２ｍｍ程度移動してシャッターボタンを押圧するので、歯車４ａと４ｂの噛み合いがはずれないように、歯車の厚さを前記ストローク分が移動してもはずれない様な厚さにしている。本例は電磁ソレノイド２とロータリーアクチュエーター５を平行に配置して歯車で回転を伝達する構造を示しているが、これらを直線的に配置しても良い。尚、その場合にも作動軸２ｃの軸方向の移動が可能なように、例えばロータリーアクチュエーターと伸縮ジョイントなどを介して作動軸２ｃと接続する構造や、ロータリーアクチュエーターがスライドできる構造にすれば良い。
【００１６】  ６は前記電磁ソレノイド２とロータリーアクチュエーター５を取り付けるためのベース部材であって、例えば１〜２ｍｍ程度の厚さのアルミ板である。７はカメラ１に取り付ける支持部材であって、例えば図に示す様に接着材７ａを使ってカメラ１に接着されているが、クランプ方式でカメラに固定しても良い。部材６は例えば小ネジ６ａを使って支持部材７に固定されている。尚、電磁ソレノイドやロータリーアクチュエーターに接続されているケーブルは便宜上図示しない。
【００１７】  図３は本発明の遠隔撮影装置を操作するための可搬式操作盤１０の一例であり、１０ａは画像表示用のモニター、１０ｂはシャッター作動用の押しボタン、１０ｃと１０ｄは各々ズームをアップ・ダウンさせるための操作用押しボタンである。１０ｅは前記電磁ソレノイド２とロータリーアクチュエーター５を作動させるためのケーブルに接続するコネクター、１０ｆは映像入力端子であってカメラに備えた映像出力端子１ｅに接続される。それによって、遠隔でカメラのライブ映像をモニター１０ａで見ながら、シャッターとズームを操作することができる。
【００１８】  以上の発明によって、一般市販の多数の機種のデジタルカメラやビデオカメラに遠隔撮影装置を容易に装着することが可能になった。
【符号の説明】
【００１９】    １    デジタルカメラ
２    電磁ソレノイド
３    押圧回転伝達部材
４    歯車
５    ロータリーアクチュエーター
６    ベース部材
７    支持部材
１０  可搬式操作盤
【図１】
0005845490.tif 000002
【図２】
0005845490.tif 000003
【図３】
0005845490.tif 000004